(57)【要約】【課題】車の始動により、宅内装置の機器の状態が自動的に表示でき、すぐに確認できる通信システムを提供することを目的とするものである。【解決手段】車１２のキー１７のトリガーにより、ナビゲーション機能を有する表示手段１５に宅内装置１１の機器５データを表示する構成としたものである。これにより、車１２に乗車する一連の流れの中で、外出しようとして車を始動すれば、宅内装置１１の機器５の状態が自動的にナビゲーション機能を有する表示手段１５に表示でき、すぐに確認することができて利便性が向上する。【選択図】図１
2005326213.tif 000002
【特許請求の範囲】
【請求項１】
宅内装置と、この装置と通信可能な車とを備え、前記宅内装置は、機器と、前記機器のデータを記憶する記憶手段と、前記機器と通信して遠隔制御するための無線通信手段と、前記機器を外部のネットワーク網と接続し通信する情報通信手段と、前記記憶手段、機器、無線通信手段、情報通信手段からの情報を送受、制御する制御手段とを有し、前記車は、前記宅内装置と同じ構成手段の少なくとも１つ以上を含む手段と、車を始動するためのキーと、ナビゲーション機能を有する表示手段とを有し、前記車のキーのトリガーにより、前記表示手段に前記宅内装置の機器データを表示する構成とした通信システム。
【請求項２】
車の表示手段は、ナビゲーション表示と機器データの表示とを切替え操作可能とした請求項１に記載の通信システム。
【請求項３】
車は位置情報手段を有し、宅内装置から離れた時に表示手段への機器データを非表示とし、接近した時に表示する構成とした請求項１または２に記載の通信システム。
【発明の詳細な説明】
【技術分野】
【０００１】
本発明は、車から宅内装置の機器を制御することができる通信システムに関するものである。
【背景技術】
【０００２】
従来のこの種の通信システムは、図４に示すように、宅外のパソコン１からインターネット網を介して宅内装置の各機器群２〜４であるテレビ、ＶＴＲ、エアコンを制御するようにしたものが知られている（例えば、特許文献１参照）。
【特許文献１】特開２００１−８２７６号公報
【発明の開示】
【発明が解決しようとする課題】
【０００３】
しかしながら、前記従来の通信システムにおいて、車が今日普及している中で、車から宅内の制御を行ないたいニーズがでてきた。携帯電話での宅外からの制御は、可能であるが車を運転中での携帯電話の制御は、安全運転上できない。また、外出しようとする時に宅内の機器の状態確認（オンのままだったか、オフしたかどうか）は、時間的な余裕がとれないという課題があった。
【０００４】
本発明は、前記従来の課題を解決するもので、車の始動により、宅内の機器の状態が自動的に表示でき、すぐに確認できる通信システムを提供することを目的とするものである。
【課題を解決するための手段】
【０００５】
前記従来の課題を解決するために、本発明の通信システムは、車のキーのトリガーにより、ナビゲーション機能を有する表示手段に宅内装置の機器データを表示する構成としたものである。
【０００６】
これにより、車に乗車する一連の流れの中で、外出しようとして車を始動すれば、宅内装置の機器の状態が自動的にナビゲーション機能を有する表示手段に表示でき、すぐに確認することができて利便性が向上する。
【発明の効果】
【０００７】
本発明の通信システムは、車を始動することにより、宅内装置の機器の状態が自動的に表示手段に表示でき、すぐに確認することができて利便性が向上する。
【発明を実施するための最良の形態】
【０００８】
第１の発明は、宅内装置と、この装置と通信可能な車とを備え、前記宅内装置は、機器と、前記機器のデータを記憶する記憶手段と、前記機器と通信して遠隔制御するための無線通信手段と、前記機器を外部のネットワーク網と接続し通信する情報通信手段と、前記記憶手段、機器、無線通信手段、情報通信手段からの情報を送受、制御する制御手段とを有し、前記車は、前記宅内装置と同じ構成手段の少なくとも１つ以上を含む手段と、車を始動するためのキーと、ナビゲーション機能を有する表示手段とを有し、前記車のキーのトリガーにより、前記表示手段に前記宅内装置の機器データを表示する構成とした通信システムとすることにより、車に乗車する一連の流れの中で、外出しようとして車を始動すれば、宅内装置の機器の状態が自動的にナビゲーション機能を有する表示手段に表示でき、すぐに確認することができて利便性が向上する。
【０００９】
第２の発明は、特に、第１の発明において、車の表示手段は、ナビゲーション表示と機器データの表示とを切替え操作可能としたことにより、車のキーを操作した時に、宅内装置の機器と通信を行い、表示手段の画面上には、自動的に現在の機器の制御状態を表示することができる。つまり、外出しようとして、車のキーでエンジンをスタートする時には、いつでも宅内装置の機器の状態が確認でき、使用者には機器の消し忘れなどの解消で安心感を与える上に、面倒な作業もいらない効果がある。
【００１０】
第３の発明は、特に、第１または第２の発明において、車は位置情報手段を有し、宅内装置から離れた時に表示手段への機器データを非表示とし、接近した時に表示する構成としたことにより、宅内装置からある程度の距離、車が離れた時には機器の状態を非表示としナビゲーション表示により通常運転ができ、帰宅により宅内装置に接近した時にはナビゲーション表示から機器の表示へと変わり、宅内装置の機器の様子が確認でき、所望の機器を事前に制御できれば宅内に入ったと時には快適な状態を得られる効果がある。
【００１１】
以下、本発明の実施の形態について、図面を参照しながら説明する。なお、この実施の形態によって本発明が限定されるものではない。
【００１２】
（実施の形態１）
図１は本発明の実施の形態１における通信システムを示している。
【００１３】
図に示すように、本実施の形態における通信システムは、宅内装置１１と、この装置と通信可能な車１２とを備えている。
【００１４】
前記宅内装置１１は、例えば、エアコンなどの各種の機器５と、前記機器５のデータを記憶する記憶手段６と、前記機器５と通信して遠隔制御するための無線通信手段７と、前記機器５を外部のネットワーク網８と接続し通信する情報通信手段９と、前記記憶手段６、機器５、無線通信手段７、情報通信手段９からの情報を送受、制御する制御手段１０とを有する。
【００１５】
また、前記車１２は、前記宅内装置１１と同じ構成手段の少なくとも１つ以上を含む手段、例えば、情報通信手段１３および制御手段１４と、車１２のエンジンを始動するためのキー１７と、地図などを表示しナビゲーション機能を有する表示手段１５とを有している。なお、前記キー１７は車１２のドアをワイヤレス通信で開閉する機能も備えている。
【００１６】
そして、前記キー１７による車１２の始動トリガーにより、前記表示手段１５には前記宅内装置１１の機器５データが自動的に表示される構成となっているものであり、使用者は、車に乗車する一連の流れの中で、車１２を始動すれば、宅内装置１１の機器５の状態が自動的に表示手段１５で表示、確認することができるものである。
【００１７】
次に、本実施の形態における通信システムの動作、作用について説明する。
【００１８】
宅内装置１１の制御手段１０は、使用者が車１２のキー１７操作によるトリガーがかかると、車１２の情報通信手段１３からのアクセスによって、記憶手段６に登録された機器５の制御状態を返信する。そして、車１２からのキー１７による制御指令の基づいて制御手段１０から機器５へ無線通信手段７によって機器５の制御状態のモニタが行われる。その結果は記憶手段６に再度記憶される。また、機器５と制御手段１０の間は、８０２．１１ｘなどのプロトコルや特定小電力無線による無線通信手段７によってデータの伝送を行なうこともでき、その媒体は限定されるものではない。また、宅内装置１１の情報通信手段９と車１２の情報通信手段１３とは、インターネット網で接続する場合、車１２からの宅内装置１１へのアクセス方法は、インターネット網の無線ＬＡＮでアクセスしてもよい。また、特定小電力の無線媒体を使用する場合、車１２のキー１７にワイヤレスで通信する通信部を入れて、車１２のドアを開閉したり、その開閉信号からのトリガーで車側の情報通信手段１３から宅内装置１１の機器５に通信したりしてもよい。
【００１９】
以上のようにして、ネットワーク網８と接続された情報通信手段９へデータを送信し、宅内装置１１の機器５の状態が自動的にナビゲーション機能を有する表示手段１５に表示され、確認することができるものである。
【００２０】
（実施の形態２）
図２は、本発明の実施の形態２における通信システムを示し、表示手段での機器の状態表示例を示している。実施の形態１と同一要素については同一符号を付して説明を省略する。
【００２１】
本実施の形態においては、車１２の表示手段１５は、ナビゲーション表示と機器５データの表示とを切替え操作可能としたものである。これにより、車のキー１７を操作した時に、宅内装置１１の機器５と通信を行い、表示手段１５の画面上には、自動的に現在の機器５の制御状態を表示することができる。つまり、外出しようとして、車１２のキー１７でエンジンをスタートする時には、いつでも宅内装置１１の機器５の状態が確認でき、使用者には機器５の消し忘れなどの解消で安心感を与える上に、面倒な作業もいらない。
【００２２】
図２（ａ）は、車のキー１７の操作によるトリガーで、宅内装置１１の機器５と通信した結果を表示手段１５にナビゲーション表示と同時に自動的に表示している。この使用者の場合、エアコンが登録されていて、エアコンがＯＦＦになっていることを示している。この時、一時的に「エアコンＯＦＦ」と表示することや、音声で報知することや、表示手段１５に表示されているアイコンの色を変えてエアコンの設定状態を示してもよい。また、宅内装置１１の機器５の状態を確認したい時には、エアコンのアイコンをタッチすると、その指令は、車１２からの情報通信手段１３、制御手段１４を介して宅内装置１１の制御手段１０へ機器５の状態を要求する。そして、機器５の状態はネットワーク網８を介して車１２の方へ転送され、ナビゲーション表示されているところへ割り込む形で表示手段１５に図２（ｂ）のように表示される。
【００２３】
図２（ｂ）の場合、機器５であるエアコンは「エアコンＯＦＦ」の状態であるから、ＯＮにしたい場合は、エアコンＯＮの方のアイコンにタッチすれば、その指令が車１２の情報通信手段１３からネットワーク網８を介して宅内装置１１の機器５であるエアコンに指令が行き、エアコンはＯＮ動作するものである。
【００２４】
なお、宅外から制御され宅内装置１１に登録されている機器５は、車１２と宅内装置１１との通信により表示手段１５上にそのアイコンが自動的に表示される。
【００２５】
また、その表示の方法は、ナビゲーション表示と並列でも構わないし、単独表示でもよく、表示方法が限定されるものでない。また、ナビゲーション表示に切換えたい時は、表示手段１５の解除ボタンにタッチすれば、再びナビゲーション表示にもどるものでもよいし、音声認識などの他の技術手段で自動的に表示する形式でもよい。
【００２６】
このようにして、車１２の中から宅内装置１１とネットワークを結ぶことによって、宅内装置１１の機器５の様子を確認することができる。
【００２７】
（実施の形態３）
図３は、本発明の実施の形態３における通信システムを示すものである。実施の形態１と同一要素については同一符号を付して説明を省略する。
【００２８】
本実施の形態においては、車１２は、ナビゲーションに登録される使用者の自宅の位置情報を記憶した位置情報手段１６を有し、車１２が宅内装置１１からある程度離れた時に表示手段１５への機器５データを非表示とし、接近した時に表示する構成としたものである。
【００２９】
これにより、宅内装置１１からある程度の距離、車１２が離れた時には表示されている機器５の状態は非表示となり、ナビゲーション表示により通常運転ができ、帰宅により宅内装置１１に接近した時にはナビゲーション表示から機器５の表示へと変わり、宅内装置１１の機器５の様子が確認でき、所望の機器５を事前に制御できれば宅内に入ったと時には快適な状態が得られる。
【００３０】
なお、機器５の状態を非表示とするためのトリガーは、位置情報手段１６の自宅との距離の関係から決定され、そのパラメーター設定はナビゲーション側で、使用者が決定できる仕組みを入れても良いし、タイマーなどで時間表示することでもよい。また、緯度経度や、使用者が予め登録しておく地点を通過したことを検出してトリガーするなど種々の方法が考えられる。そして、車のキー１７によるトリガーで、一定期間表示した後、使用者宅から車が離れた時には機器５の表示状態からナビゲーション表示に自動的に切り替るので、面倒な操作がなく、使用者には非常に利便性の高い通信システムとなる。
【００３１】
また、車を運転し、帰宅時に家の近くにきたときには、自動的にナビゲーション表示から表示手段１５に機器５の状態表示に変更されるが、そのトリガーは位置情報手段１６の自宅との距離の関係から決定される。その表示するタイミングは、機器５が所定の目的を達するために使用者の自宅との距離関係により異なる。例えば、エアコンは１ｋｍに近づいた時とか、炊飯器の場合であれば、２ｋｍ前に近づいた時など、車側の制御手段１４にて決定され、そのパラメーター設定はナビゲーション側で、使用者が決定できる仕組みとすれば良い。
【００３２】
このように、使用者宅に接近した時にはナビゲーション表示から機器表示へ自動的に切り替るので、宅内に接近する時に機器の状態を確認でき、エアコンなど所望の機器を事前に制御できれば、宅内に入った時には快適な状態を得られる効果がある。
【産業上の利用可能性】
【００３３】
以上のように、本発明にかかる通信システムは、車を始動することにより、宅内装置１１の機器の状態が自動的に表示手段に表示でき、すぐに確認することができて利便性が向上するので、自動車関係のナビゲーション機能の拡大が可能である。
【図面の簡単な説明】
【００３４】
【図１】本発明の実施の形態１における通信システムの構成図
【図２】（ａ）本発明の実施の形態２における表示手段の表示例を示す図（ｂ）本発明の実施の形態２における表示手段の表示例を示す図
【図３】本発明の実施の形態３における通信システムの構成図
【図４】従来の通信システムの構成図
【符号の説明】
【００３５】
５  機器
６  記憶手段
７  無線通信手段
８  ネットワーク網
９、１３  情報通信手段
１０、１４  制御手段
１１  宅内装置
１２  車
１５  表示手段
１６  位置情報手段
１７  車のキー
【図１】
2005326213.tif 000003
【図３】
2005326213.tif 000004
【図４】
2005326213.tif 000005
【図２】
2005326213.tif 000006